(57)【特許請求の範囲】
【請求項１】
ステータ組立に対する通電経路にサーマルプロテクタ付きのブラシ組立を設けた整流子電動機であって、
前記ブラシ組立が、
ブラシと、
一端部が前記ブラシに接続されたピッグテイルと、
前記ブラシを摺動自在に保持する筒状の鉄系金属または耐熱性樹脂からなるブラシホルダと、
このブラシホルダに流れる電流を抑制して発熱を抑えるために前記ブラシホルダよりも導電性の高い金属材料により形成されており、前記ピッグテイルの他端部に接続されるとともに、前記ブラシ側に延びるプロテクタ接続部を有するブラシキャップと、
このブラシキャップと前記ブラシとの間に挟み込まれて前記ブラシを整流子側に向けて付勢するばねと、
絶縁体により形成されており、前記ブラシホルダを支持するとともに、前記ブラシホルダと前記プロテクタ接続部とを絶縁する絶縁壁を有するホルダ絶縁と、
前記プロテクタ接続部と接続して前記ブラシの近傍に位置して前記ホルダ絶縁に取り付けられ、所定の温度に応じて前記通電経路を開閉する前記サーマルプロテクタと、
を具備することを特徴とする整流子電動機。
【請求項２】
前記ブラシホルダは前記ブラシキャップよりも比重が小さい材料により形成されていることを特徴とする請求項１に記載の整流子電動機。
【請求項３】
集塵室およびこの集塵室の上流側に、前記集塵室と連通する吸塵口を有した掃除機本体と、
前記請求項１または２に記載の整流子電動機の回転軸にファンを連結するとともに、このファンを覆うファンカバーを設けて形成され、前記集塵室の下流側に位置して前記掃除機本体に内蔵された電動送風機と、
先端に吸込口を有して前記吸塵口に接続される吸込通路手段と、
を具備することを特徴とする電気掃除機。
【発明の詳細な説明】
【０００１】
【発明の属する技術分野】
本発明は、サーマルプロテクタ付きのブラシ組立を具備する整流子電動機、およびこの整流子電動機にファンを連結して構成される電動送風機を具備する電気掃除機に関する。
【０００２】
【従来の技術】
整流子電動機には、オーバーヒートを防止するために、サーマルプロテクタが取り付けられているものがある。このサーマルプロテクタは、一般的に、整流子とステータ組立とを電気的に接続する通電経路に挿入されて、ブラシ組立に取り付けられる。
【０００３】
ブラシ組立１０１は、図５（ａ），（ｂ）に示すように、回転する整流子１０２とその径方向外側面において摺動接触するブラシとして、例えば、カーボンブラシ１０３を有している。このカーボンブラシ１０３は、真鍮により略筒形状に一体形成されているブラシホルダ１０４により整流子１０２の径方向に沿って摺動自在に保持されているとともに、このブラシホルダ１０４の内部に取り付けられているばね１０５により整流子１０２側に向けて付勢されている。また、カーボンブラシ１０３とブラシホルダ１０４とは、ブラシホルダ１０４の内部においてピッグテイル１０６により電気的に接続されている。カーボンブラシ１０３は、ブラシホルダ１０４ごと絶縁材料により形成されているホルダ絶縁１０７に取り付けられる。サーマルプロテクタ１０８は、ブラシホルダ１０４と同様にホルダ絶縁１０７に取り付けられる。この際、サーマルプロテクタ１０８は、ブラシホルダ１０４のプロテクタ接続部１０４ａ、およびステータ組立１０９の接続端子１０９ａの双方に電気的に接触するようにホルダ絶縁１０７に取り付けられる。このような取り付け構成により、ステータ組立１０９の巻線と、整流子１０２との間には、カーボンブラシ１０３、ピッグテイル１０６、ブラシホルダ１０４、サーマルプロテクタ１０８を通電経路として電流が流れる。
【０００４】
サーマルプロテクタ１０８には、例えば、バイメタル式のものが用いられる。サーマルプロテクタ１０８は、前述した通電経路に流れる電流に基づく自身の発熱による温度上昇、あるいはカーボンブラシ１０３およびブラシホルダ１０４などの発熱によるブラシ周りの雰囲気温度に反応し、予め設定されている温度を感知すると、前記通電経路を開く。これにより、このブラシ組立１０１を備えた図示しない電動機のオーバーヒートは未然に防がれる。
【０００５】
【発明が解決しようとする課題】
ブラシホルダ１０４を形成している真鍮は電気抵抗が小さいので、ブラシホルダ１０４の発熱量は小さい。これにより、ブラシ組立１０１での発熱による損失が抑制されて、電動機は効率よく作動できる。
【０００６】
しかし、真鍮は比重が大きいため、重量が嵩むとともに、そのコストも高い。よって、従来のブラシ組立１０１、このブラシ組立１０１を有する電動機、ひいてはこの電動機を動力源として用いる電気掃除機の重量が嵩むとともに、それらの製造コストも高く付く。
【０００７】
これを回避するために、本出願人はブラシホルダ１０４の電流を流す必要のない部分、具体的には、ブラシキャップ１１０以外の部分を真鍮よりも比重が小さく、かつ、低コストの金属である鉄により形成することにより、軽量化および低コスト化を図ることを試みた。
【０００８】
ところが、鉄は電気抵抗が大きいので、電流を流した際の発熱量が大きい。よって、全体の殆どが鉄製のブラシホルダ１０４は温度上昇し易い。その結果、サーマルプロテクタ１０８が頻繁に作動するとともに、前記発熱に伴う損失が増えて効率を低下させ易い。
【０００９】
よって、本発明が解決しようとする課題は、サーマルプロテクタ付きのブラシ組立を備えた整流子電動機において、軽量かつ低コストで効率よく作動できる整流子電動機、およびこれを備えた電気掃除機を得ることにある。
【００１０】
【課題を解決するための手段】
前記第１の課題を解決するために、請求項１の発明に係る整流子電動機は、ステータ組立に対する通電経路にサーマルプロテクタ付きのブラシ組立を設けた整流子電動機であって、前記ブラシ組立が、ブラシと、一端部が前記ブラシに接続されたピッグテイルと、前記ブラシを摺動自在に保持する筒状の鉄系金属または耐熱性樹脂からなるブラシホルダと、このブラシホルダに流れる電流を抑制して発熱を抑えるために前記ブラシホルダよりも導電性の高い金属材料により形成されており、前記ピッグテイルの他端部に接続されるとともに、前記ブラシ側に延びるプロテクタ接続部を有するブラシキャップと、このブラシキャップと前記ブラシとの間に挟み込まれて前記ブラシを整流子側に向けて付勢するばねと、絶縁体により形成されており、前記ブラシホルダを支持するとともに、前記ブラシホルダと前記プロテクタ接続部とを絶縁する絶縁壁を有するホルダ絶縁と、前記プロテクタ接続部と接続して前記ブラシの近傍に位置して前記ホルダ絶縁に取り付けられ、所定の温度に応じて前記通電経路を開閉する前記サーマルプロテクタと、を具備することを特徴とするものである。
【００１１】
この発明の整流子電動機においては、ブラシホルダを形成する材料が鉄系金属または耐熱性樹脂であるので、真鍮に比較してブラシホルダを軽量かつ安価にできる。そして、ブラシホルダよりも導電性の高い金属材料により形成されるブラシキャップのサーマルプロテクタと接するプロテクタ接続部と、ブラシホルダとの間に絶縁壁を設け、サーマルプロテクタとブラシホルダとが接しない構成とした。これにより、ブラシホルダを主通電経路としないで電流をブラシホルダに流すことができ、ブラシホルダでの熱損失を少なくできるとともに、ブラシホルダが発生する熱でサーマルプロテクタが過敏に作動するおそれをなくすことができる。
【００１２】
また、前記課題を解決するために、請求項３の発明に係る電気掃除機は、集塵室およびこの集塵室の上流側に、前記集塵室と連通する吸塵口を有した掃除機本体と、前記請求項１または２に記載の整流子電動機の回転軸にファンを連結するとともに、このファンを覆うファンカバーを設けて形成され、前記集塵室の下流側に位置して前記掃除機本体に内蔵された電動送風機と、先端に吸込口を有して前記吸塵口に接続される吸込通路手段と、を具備することを特徴とするものである。
【００１３】
この発明の電気掃除機においては、軽量かつ低コストで効率がよい前記請求項１または２に記載の整流子電動機を備えるので、本発明の課題を解決できる電気掃除機を提供できる。
【００１４】
【発明の実施の形態】
以下、本発明の一つの実施の形態に係る整流子電動機を、図１〜図３に基づいて説明する。
【００１５】
この整流子電動機としてのＡＣモータ１は、図１に示すように、ステータ組立２に対する通電経路にサーマルプロテクタ３付きのブラシ組立４を設けた構成となっている。また、このＡＣモータ１は、これが有しているブラシ組立４が、図２および図３に示すように、ブラシ５と、一端部がブラシ５に接続されたピッグテイル６と、ブラシ５を摺動自在に保持するブラシホルダ７と、ピッグテイル６の他端部に接続されるとともに、ブラシ５側に延びるプロテクタ接続部８ａを有するブラシキャップ８と、このブラシキャップ８とブラシ５との間に挟み込まれてブラシ５を整流子９側に向けて付勢するばね１０と、ブラシホルダ７を支持するとともに、ブラシホルダ７とプロテクタ接続部８ａとを絶縁する絶縁壁１１ａを有するホルダ絶縁１１と、プロテクタ接続部８ａと接続してブラシ５の近傍に位置してホルダ絶縁１１に取り付けられたサーマルプロテクタ３とを具備するものである。
【００１６】
ブラシとしてのカーボンブラシ５は、図１〜図３に示すように、一方向に長く延ばされた長尺の略直方体形状に形成されている。カーボンブラシ５は、整流子９をその直径方向両外側から対向して挟み込むように、その長手方向を整流子９の径方向と一致させられて２個配置される。このような配置状態において、カーボンブラシ５は、後述するブラシホルダ７により整流子９の径方向に沿って摺動自在に保持される。それとともに、カーボンブラシ５は、その一端部としての整流子側端部５ａの先端が整流子９の外周面９ａと接触するように、後述するばね１０により整流子９側に向けて付勢される。
【００１７】
ピッグテイル６は、図１〜図３に示すように、その一端部が、カーボンブラシ５の他端部としての、整流子側端部５ａとは反対側のブラシキャップ側端部５ｂに接続されている。それとともに、ピッグテイル６はその他端部が、後述するブラシキャップ８に接続されている。ピッグテイル６は、その長さが、カーボンブラシ５が回転する整流子９との接触によって摩耗して擦り減り、そのブラシキャップ側端部５ｂが整流子９側に移動しても、カーボンブラシ５とブラシキャップ８との電気的な接続状態を維持できる大きさに形成されている。また、ピッグテイル６は、ブラシキャップ８と同程度の通電性を有する材料により形成されていることが好ましい。
【００１８】
ブラシホルダ７は、図１〜図３に示すように、その内部にカーボンブラシ５を収容することにより、カーボンブラシ５をその長手方向に沿って摺動自在に保持できる大きさの筒状に形成されている。ブラシホルダ７は、一対のカーボンブラシ５を前述した配置状態において、整流子９の径方向に沿って摺動自在に保持できるように、後述するホルダ絶縁１１を介して、このＡＣモータ１の外殻を保護するモータフレーム本体１２に２個取り付けられる。すなわち、一対のブラシホルダ７は、モータフレーム本体１２内の径方向中央部に配置されている整流子９を、その直径方向両外側から対向して挟み込むように、その長手方向を整流子９の径方向と一致させられて、モータフレーム本体１２にホルダ絶縁１１を介して２個取り付けられる。
【００１９】
また、このブラシホルダ７は、前述したカーボンブラシ５、ピッグテイル６、および後述するブラシキャップ８よりも導電性の低い材料、例えば、鉄系の金属または耐熱性樹脂により形成されていることが好ましい。本実施形態においては、このブラシホルダ７は、亜鉛メッキが施された鉄製の鋼板により形成されているものとする。これにより、カーボンブラシ５に流れる電流がブラシホルダ７に流れるのを抑制して、その電流の大部分をピッグテイル６および整流子９に流すことができる。したがって、このブラシホルダ７は、ステータ組立２、ブラシ組立４、および整流子９などから構成されている、このＡＣモータ１の内部の通電経路において主通電経路になり難く、実質的に主通電経路から外された状態となっている。よって、ＡＣモータ１の作動中において、この導電性の低いブラシホルダ７に電流が流れても、その発熱量は小さい。
【００２０】
さらに、このブラシホルダ７を形成している鉄製の鋼板は、前述した従来技術に係るブラシホルダ１０４を形成している真鍮よりも比重が小さく、かつ、安価である。よって、鉄製の本実施形態のブラシホルダ７は、真鍮製の従来のブラシホルダ１０４に比べて、軽量であるとともに、低コストに製造できる。
【００２１】
ブラシキャップ８は、図１〜図３に示すように、その中間部において略直角に折り曲げられて、かつ、この折り曲げ部分から一方の側に長く延ばされた略Ｌ字形状に形成されている。ブラシキャップ８は、その折り曲げ部分から長く延ばされた長手側端部をホルダ絶縁１１に挿入されることにより、ホルダ絶縁１１に取り付けられる。この際、ブラシキャップ８は、その長手側端部が、ブラシホルダ７を介してホルダ絶縁１１に取り付けられたカーボンブラシ５の長手方向に沿って延びるように、ホルダ絶縁１１に取り付けられる。それとともに、ブラシキャップ８の長手側端部はその先端付近に、カーボンブラシ５の近傍に位置するようにホルダ絶縁１１に取り付けられる後述するサーマルプロテクタ３と接触して電気的に接続し合うプロテクタ接続部８ａを有している。また、ブラシキャップ８の折り曲げ部分を挟んで、長手側端部とは反対側の端部には、ピッグテイル６のカーボンブラシ５と接続されている側とは反対側の他端部が接続されている。ブラシキャップ８は、図２に示すように、その内側面が、カーボンブラシ５、ピッグテイル６、およびばね１０の周りに沿うようにその姿勢を保持されて、ピッグテイル６と接続される。
【００２２】
本実施形態のブラシキャップ８においては、その長手側端部の長さは、図２に示すように、カーボンブラシ５の長さと、負荷が掛かっていない状態のばね１０の長さとを足し合わせた長さよりも短く形成されている。
【００２３】
また、このブラシキャップ８は、前述したブラシホルダ７を形成している亜鉛メッキ鋼板よりも導電性の高い材料、例えば、真鍮により形成されていることが好ましい。これにより、この真鍮製のブラシキャップ８、および前述した材料から形成されているピッグテイル６などを具備するブラシ組立４においては、カーボンブラシ５、ピッグテイル６、ブラシキャップ８、およびサーマルプロテクタ３が主通電経路を構成する。すなわち、前述したＡＣモータ１の内部の通電経路を流れる電流は、その通電経路に設けられたブラシ組立４を通過する際に、導電性の低いブラシホルダ７に流れることは殆どなく、その大部分がカーボンブラシ５、ピッグテイル６、ブラシキャップ８、およびサーマルプロテクタ３から構成されている主通電経路を通過して、ステータ組立２と整流子９との間を流れるように設定されている。
【００２４】
以上説明したように、この真鍮製のブラシキャップ８を含めたブラシ組立４の主通電経路は電気抵抗が低く導電性が高い。したがって、ＡＣモータ１の作動中において、ＡＣモータ１の内部の通電経路を流れる電流の大部分がこの主通電経路に流れても、その発熱量は小さい。
【００２５】
カーボンブラシ５を整流子９側に向けて付勢するばね１０は、カーボンブラシ５のブラシキャップ側端部５ｂと、ブラシキャップ８のピッグテイル６が接続されている側の端部との間に挟み込まれて取り付けられている。また、ピッグテイル６は、このばね１０の内側に配置された状態でカーボンブラシ５とブラシキャップ８とを電気的に接続している。
【００２６】
ホルダ絶縁１１は、図１〜図３に示すように、前述した筒状のブラシホルダ７をその長手方向に沿って挿入するホルダ挿入孔１１ｂを有している。このホルダ挿入孔１１ｂは、ホルダ絶縁１１の軸方向に沿って貫通して設けられている。ブラシホルダ７は、図２に示すように、ホルダ挿入孔１１ｂの内部に、その一方の開口を通して挿入される。ブラシホルダ７は、ホルダ挿入孔１１ｂの内部に所定の長さ（深さ）まで挿入された後、図３（ａ）に示すように、その挿入方向前方の一端部を外側に向けて折り返されて、これをホルダ挿入孔１１ｂの他方の開口の縁部に係合されることにより外れ止めされる。これにより、ブラシホルダ７はホルダ挿入孔１１ｂから外れ止めされた状態となってホルダ絶縁１１に支持される。本実施形態において、ホルダ挿入孔１１ｂの内部に挿入されるブラシホルダ７の所定の長さは、図３（ａ）に示すように、このホルダ絶縁１１にブラシホルダ７およびブラシキャップ８などを取り付けてブラシ組立４を組み立てた際に、カーボンブラシ５の整流子側端部５ａがブラシホルダ７の内部から整流子９側に突出するとともに、ピッグテイル６およびばね１０の殆どがブラシホルダ７の内部に収容される大きさに設定されている。
【００２７】
また、ホルダ絶縁１１には、ホルダ挿入孔１１ｂに隣接して、その軸方向に平行に、前述したＬ字形状のブラシキャップ８の長手側端部をその長手方向に沿って挿入するブラシキャップ挿入孔１１ｃが並設されている。ブラシキャップ８は、図２に示すように、前述したブラシホルダ７の挿入の向きとは反対向きで、ブラシキャップ挿入孔１１ｃの内部に、その一方の開口を通して挿入される。ブラシキャップ８はその折り曲げ部分が、ブラシキャップ挿入孔１１ｃの縁部に当接して、その進入が止められるまで、ブラシキャップ挿入孔１１ｃの内部に挿入される。ブラシキャップ挿入孔１１ｃの軸方向中間部には、その内側に向けて絶縁側外れ止め１３が突設されている。また、ブラシキャップ８の長手側端部には、そのプロテクタ接続部８ａと折り曲げ部分との間に、その先端側から順番に、第１外れ止め１４および第２外れ止め１５が、折り曲げ方向とは反対向きに突設されている。前述した挿入状態において、図３（ａ）に示すように、ブラシキャップ挿入孔１１ｃの絶縁側外れ止め１３がブラシキャップ８の第１外れ止め１４と第２外れ止め１５との間に挟まれた状態となることにより、ブラシキャップ８はブラシキャップ挿入孔１１ｃから外れ止めされた状態となってホルダ絶縁１１に支持される。
【００２８】
また、ホルダ絶縁１１にブラシキャップ８を取り付ける際に、このブラシキャップ８に接続されているカーボンブラシ５を、予めブラシホルダ７の内部に挿入する。具体的には、ブラシキャップ８の長手側端部をブラシキャップ挿入孔１１ｃに挿入するに先立って、カーボンブラシ５の整流子側端部５ａを、ブラシホルダ７が挿入された状態のホルダ挿入孔１１ｂの内部に、ブラシホルダ７が挿入される側とは反対側の開口を通して挿入する。カーボンブラシ５の整流子側端部５ａの先端は、前述したように、ブラシキャップ８の長手側端部の先端よりも、それらの挿入方向に沿って前方に位置している。よって、以上説明したように、カーボンブラシ５の整流子側端部５ａをホルダ挿入孔１１ｂの内部に挿入した状態において、前述したようにブラシキャップ８をブラシキャップ挿入孔１１ｃに挿入することにより、カーボンブラシ５はその整流子側端部５ａからブラシホルダ７の内部に挿入される。また、カーボンブラシ５に接続されているピッグテイル６、およびカーボンブラシ５とブラシキャップ８との間に取り付けられているばね１０もブラシホルダ７の内部に挿入される。前述したように、ブラシキャップ８をその進入が止められるまで、ブラシキャップ挿入孔１１ｃの内部に挿入した状態においては、カーボンブラシ５は、その整流子側端部５ａがブラシホルダ７の内部から整流子９側に突出している状態になるとともに、ピッグテイル６およびばね１０は、それらの大部分がブラシホルダ７の内部に収容されている状態となる。
【００２９】
ブラシホルダ７およびブラシキャップ８がともに外れ止めされてホルダ絶縁１１に取り付けられて、かつ、カーボンブラシ５と整流子９とが接触していない状態においては、カーボンブラシ５とブラシキャップ８との間に挟み込まれているばね１０には負荷が掛かっていない。これにより、カーボンブラシ５の整流子側端部５ａは、前述したようにブラシホルダ７の整流子９側の開口から突出した状態となっている。このような状態のカーボンブラシ５を有しているホルダ絶縁１１、ひいてはブラシ組立４を、図１に示すように、整流子９をその直径方向両外側から挟み込むようにモータケース本体１２に取り付ける。カーボンブラシ５の長さとばね１０の長さとを足し合わせた長さは、整流子９の外周面９ａからモータケース本体１２の内壁面１２ａまでの距離よりも、予め大きく設定されている。よって、ブラシ組立４をモータケース本体１２に取り付けると、整流子９の外周面９ａとカーボンブラシ５の整流子側端部５ａの先端とが互いに接触するとともに、カーボンブラシ５はその長手方向に沿って、整流子９の径方向外側に向けて押される。これにより、ばね１０に負荷が掛かった状態となるので、そのばね力（反力）により、カーボンブラシ５は整流子９側に向けて押し付けられるように付勢される。したがって、カーボンブラシ５は、このＡＣモータ１の作動中に、回転している整流子９に振動やぶれなどが発生したり、あるいは回転している整流子９との接触によってカーボンブラシ５自体が摩耗して擦り減ったりした場合でも、回転している整流子９との電気的な接続状態を良好に保持できる。
【００３０】
このホルダ絶縁１１には、図２および図３（ａ），（ｂ）に示すように、ブラシキャップ挿入孔１１ｃを挟んでホルダ挿入孔１１ｂとは反対側に、それらの軸方向と平行に、このホルダ絶縁１１をモータケース本体１２にねじ止めして取り付けるためのホルダ取り付け孔１１ｄが設けられている。このホルダ取り付け孔１１ｄをモータケース本体１２側の図示しないブラシ組立取り付け孔に合わせた後、ホルダ取り付け孔１１ｄとブラシ組立取り付け孔とに取り付けねじ１６をねじ回して取り付けることにより、ホルダ絶縁１１、およびこれを具備したブラシ組立４をモータケース本体１２にねじ止めする。これにより、ブラシ組立４は、それが具備しているカーボンブラシ５、ピッグテイル６、ブラシキャップ８、およびサーマルプロテクタ３が、このＡＣモータ１の内部の主通電経路を構成するように、予め設定された所定の姿勢でモータケース本体１２に取り付けられる。
【００３１】
また、このホルダ絶縁１１は絶縁体、例えば、フェノール樹脂により樹脂形成されていることが好ましい。そして、このホルダ絶縁１１は、これが有しているホルダ挿入孔１１ｂとブラシキャップ挿入孔１１ｃとが、それらの長手方向に沿って全長にわたって絶縁壁１１ａによって仕切られている構成となっている。これにより、このホルダ絶縁１１に取り付けられたブラシホルダ７とブラシキャップ８とは、図１および図３（ａ），（ｂ）に示すように、ホルダ絶縁１１に取り付けられた状態においては、互いに直接接触することはできない。よって、このＡＣモータ１の内部の主通電経路の一部を構成するブラシキャップ８に流れる電流が、主通電経路から外された状態、すなわち電流を流す必要のないブラシホルダ７に、ブラシキャップ８を介して直接流れるおそれをなくすことができる。したがって、主通電経路を流れる電流が、電気抵抗が高く、導電性の低いブラシホルダ７に直接かつ多量に流れて、ブラシホルダ７自体が発熱などすることによる電力の損失を抑制することができる。すなわち、以上説明した材料および形状からなるホルダ絶縁１１を用いることにより、鉄製のブラシホルダ７を具備したブラシ組立４における電力（電気エネルギー）の損失（ロス）を抑制（少なく）することができる。
【００３２】
さらに、このホルダ絶縁１１を形成しているフェノール樹脂は、耐熱性にも優れている。よって、カーボンブラシ５からブラシホルダ７に電流が流れることにより、ブラシホルダ７が発熱しても、その熱は絶縁壁１１ａを介してブラシキャップ８側に伝わり難い。したがって、ブラシホルダ７が発熱して温度上昇しても、その温度に反応してサーマルプロテクタ３が不必要に、かつ、頻繁に作動するおそれは殆どない。すなわち、このＡＣモータ１はその継続作動中に、通電状態のＯＮおよびＯＦＦが不必要に繰り返されるおそれが殆どない。よって、このＡＣモータ１は安定して作動できるとともに、その内部の通電経路における発熱以外の電力の損失を抑制（少なく）することができる。
【００３３】
サーマルプロテクタ３は、図１〜図３に示すように、ブラシキャップ８のプロテクタ接続部８ａと接続して、カーボンブラシ５の近傍に位置するようにホルダ絶縁１１に取り付けられる。具体的には、図２に示すように、ブラシキャップ８をホルダ絶縁１１に取り付け終わった後、ブラシキャップ８の長手側端部をブラシキャップ挿入孔１１ｃに挿入する向きとは反対の向きから、ブラシキャップ挿入孔１１ｃの整流子９側に連続して設けられているプロテクタ取り付け部１１ｅに、サーマルプロテクタ３をその進入が止められるまで挿入する。この際、サーマルプロテクタ３を、これと絶縁壁１１ａとで、ブラシキャップ８のプロテクタ接続部８ａをその厚み方向両外側から挟み込むようにホルダ絶縁１１に取り付ける。これにより、サーマルプロテクタ３は、その厚み方向一側面においてプロテクタ接続部８ａと接触しつつ、ホルダ絶縁１１に保持される。また、このようにサーマルプロテクタ３がホルダ絶縁１１に取り付けられたブラシ組立４を、前述した所定の取り付け位置において、所定の姿勢でモータケース本体１２に取り付ける。この取り付け状態において、サーマルプロテクタ３は、そのプロテクタ接続部８ａと接触している側とは反対側の厚み方向他側面が、ステータ組立２の接続端子２ａと接触している状態となる。また、本実施形態のサーマルプロテクタ３には、バイメタル式のものが用いられることが好ましい。
【００３４】
サーマルプロテクタ３は、サーマルプロテクタ３自体の温度を直接感知できるように設定されている。それとともに、サーマルプロテクタ３は、これが近接されて取り付けられているカーボンブラシ５の周りの雰囲気温度を間接的に感知できるように設定されている。
【００３５】
サーマルプロテクタ３は、本実施形態においては、これが取り付けられているＡＣモータ１がオーバーヒートを起こさないように、サーマルプロテクタ３自体の温度、あるいはカーボンブラシ５の周りの雰囲気温度のうちの少なくとも一方の温度が、予め設定されている所定の温度に達すると、これを感知してＡＣモータ１の内部の通電経路を開くように設定されている。これにより、ＡＣモータ１の内部の通電経路には電流が流れなくなるので、ＡＣモータ１はオーバーヒートを起こす前に、その作動を停止する。サーマルプロテクタ３は、サーマルプロテクタ３自体の温度、およびカーボンブラシ５の周りの雰囲気温度が、ともに前述したサーマルプロテクタ３が通電経路を開く温度を下回ると、これを感知してＡＣモータ１の内部の通電経路を閉じるように設定されている。これにより、ＡＣモータ１の内部の通電経路に電流が流れるので、ＡＣモータ１はその作動停止状態を解除されて作動する。
【００３６】
以上説明したように設定されているサーマルプロテクタ３によれば、これが取り付けられているＡＣモータ１はオーバーヒートをするおそれが殆どない。よって、このＡＣモータ１は安定して作動できる。それとともに、サーマルプロテクタ３は、前述したように、耐熱性に優れたフェノール樹脂により形成されているホルダ絶縁１１に取り付けられており、不必要に、かつ、頻繁に作動するおそれは殆どない。よって、このＡＣモータ１はその継続作動中に、通電状態のＯＮおよびＯＦＦが不必要に繰り返されるおそれが殆どなく、その内部の通電経路における発熱以外の電力の損失を抑制（少なく）することができる。
【００３７】
本実施形態のサーマルプロテクタ３付きのブラシ組立４は、以上説明したカーボンブラシ５、ピッグテイル６、ブラシホルダ７、ブラシキャップ８、ばね１０、ホルダ絶縁１１、およびサーマルプロテクタ３などを具備して構成されている。これにより、このブラシ組立４は、その通電経路に用いられる真鍮の使用量（真鍮の体積）を削減できるので、軽量かつ低コストに製造できる。また、このブラシ組立４は、その主通電経路から鉄製のブラシホルダ７を外すとともに、主通電経路を真鍮製で導電性の高いブラシキャップ８などで構成し、これらを絶縁性および耐熱性の高いホルダ絶縁１１に取り付けたので、このブラシ組立４における発熱などによる電力の損失を抑制（少なく）することができる。
【００３８】
本実施形態のＡＣモータ１は、これが有しているステータ組立２に対する通電経路に前述したサーマルプロテクタ３付きのブラシ組立４を設けて構成されている。以下、本実施形態のＡＣモータ１を、図１に基づいて説明する。
【００３９】
ＡＣモータ１は、図１に示すように、これを保護するモータケース本体１２の内部に収容されている。このモータケース本体１２は、中空形状に形成されている筒部１７と、この筒部１７の軸方向一端部を塞いで一体に設けられた底部１８と、筒部１７の軸方向他端部において、底部１８と平行となるように略直角に折り曲げられて、その径方向外側に向けて一体に張り出された環状フランジ部１９などから構成されている。また、モータケース本体１２の環状フランジ部１９には、その底部１８側とは反対側において、筒部１７の一端開口であるケース本体開口２０を、少なくともその一部分を塞ぐように、その径方向に沿って渡されて、モータケース端面板２１が取り付けられている。このモータケース端面板２１は、環状フランジ部１９に端面板取り付けねじ２２によって、ねじ止めされることにより取り付けられる。本実施形態においては、モータケース本体１２とモータケース端面板２１とでモータケース２３を形成している。
【００４０】
モータケース本体１２内の径方向中央部には、図１に示すように、このＡＣモータ１のアーマチュア組立（電機子）２４が回転自在に取り付けられている。本実施形態のＡＣモータ１においては、このアーマチュア組立は、実質的に回転子（ロータ）２４のことである。この回転子２４は、回転子鉄心３２、およびこの回転子鉄心３２と一体に回転する回転子軸２５などから構成されている。回転子軸２５は、回転子鉄心３２をその径方向中心部において、回転子鉄心３２の軸方向に沿って貫通している。それとともに、回転子軸２５は、回転子鉄心３２と一体に回転するように回転子鉄心３２に取り付けられている。
【００４１】
また、この回転子軸２５はその長手方向が、モータケース本体１２の筒部１７の軸方向と一致するように、モータケース２３の径方向中央部に回転自在に取り付けられている。モータケース本体１２の底部１８の径方向中央部には、底側軸受け保持部２６がモータケース本体１２の外側に向けて突設されて一体に形成されている。回転子軸２５の一端部としての底部側端部２５ａは、この底側軸受け保持部２６の内部に取り付けられている底側軸受け２７によって回転自在に支持されている。また、モータケース端面板２１の径方向中央部には、開口側軸受け保持部２８がモータケース本体１２の外側に向けて突設されて一体に形成されている。回転子軸２５の他端部としての開口部側端部２５ｂは、この開口側軸受け保持部２８の内部に取り付けられている開口側軸受け２９によって回転自在に支持されている。この回転子軸２５の開口部側端部２５ｂは、前述した支持状態において、その先端付近が、モータケース端面板２１の開口側軸受け保持部２８を、その底部１８側から反対側に貫通した状態で支持されている。
【００４２】
回転子軸２５には、図１に示すように、その長手方向中間部に一体に取り付けられている回転子鉄心３２と、その底部１８側の先端との間に、同じく回転子軸２５と一体に回転する整流子（コミュテータ）９が取り付けられている。前述した一対のブラシ組立４は、この整流子９をその直径方向両外側から対向して挟み込むように、モータケース本体１２の筒部１７の所定の位置にねじ止めされて取り付けられる。この取り付け状態において、各ブラシ組立４が具備しているカーボンブラシ５はその整流子側端部５ａの先端が、整流子９の外周面９ａと電気的に接触した状態に保持されている。
【００４３】
回転子２４の径方向外側には、図１に示すように、回転子２４の回転子鉄心３２の外周面３２ａに対向するように、モータケース本体１２の筒部１７内において、ステータ組立（固定子）２が配置されている。このステータ組立２は、固定子鉄心３０、およびこの固定子鉄心３０に巻き付けられている固定子巻線３１などから構成されており、図示しない外部電源とともに、電磁石を構成するように設定されている。
【００４４】
一対のブラシ組立４を、前述したように、整流子９をその直径方向両外側から対向して挟み込むように、モータケース本体１２の筒部１７に取り付ける。このような取り付け状態において、それら各ブラシ組立４とステータ組立２とが電気的に接続できるように、ステータ組立２の固定子鉄心３０から各ブラシ組立４側に向けて、ステータ組立接続端子２ａが延出されて設けられている。ステータ組立接続端子２ａはその長さが、前述した取り付け状態の各ブラシ組立４のホルダ絶縁１１に取り付けられている各サーマルプロテクタ３と、電気的に接触できる大きさに形成されている。これにより、ステータ組立接続端子２ａは、前述したように、各サーマルプロテクタ３のプロテクタ接続部８ａと接触している側とは反対側の厚み方向他側面において、各サーマルプロテクタ３と電気的に接触できる。すなわち、前述した取り付け状態において、各ブラシ組立４と、ステータ組立２とは、電気的に接触している状態を保持されて、これらを具備しているＡＣモータ１の通電経路を構成している。
【００４５】
以上説明した構成からなるＡＣモータ１においては、これが有しているステータ組立２、整流子９、および回転子２４に、前述したブラシ組立４を２個取り付けることにより、その通電経路が構成される。この通電経路と外部電源とを接続して通電させ、その通電経路に電流を流すことにより、ステータ組立２と回転子２４との間に磁界を発生させて、整流子９と一体に回転子２４を回転させる。これにより、ＡＣモータ１は作動して動力を発生する。
【００４６】
このＡＣモータ１においては、その通電経路が、これに前述した一対のブラシ組立４を設けることにより構成される。各ブラシ組立４は、前述したように、その主通電経路における電力の損失が少ないので、通電状態において電磁力が弱まるおそれが殆どない。よって、ＡＣモータ１は、その主通電経路の通電状態における電磁力の弱まりが殆どない。したがって、ＡＣモータ１はその作動中に、回転子２４の回転数（回転速度）が落ちるおそれが殆どないので、動力を安定して発生できる。すなわち、このＡＣモータ１は、その作動中におけるＡＣモータ１全体の電力の損失（電気的エネルギーのロス）を抑制（少なく）して、効率よく作動できるとともに、動力を安定して発生できる。
【００４７】
また、各ブラシ組立４は、前述したように、軽量かつ低コストに製造できるため、これらを用いるこのＡＣモータ１も軽量かつ低コストに製造できる。
【００４８】
次に、前述したブラシ組立４を使用するＡＣモータ１を備えた、本発明の一つの実施の形態に係る電気掃除機３３を、図１および図４に基づいて説明する。
【００４９】
本実施形態の電気掃除機３３は、図４に示すように、集塵室３４およびこの集塵室３４の上流側に、集塵室３４と連通する吸塵口３５を有した掃除機本体３６と、整流子電動機の回転軸としてのＡＣモータ１の回転子軸２５にファン３７を連結するとともに、このファン３７を覆うファンカバー３８を設けて形成され、集塵室３４の下流側に位置して掃除機本体３６に内蔵された電動送風機３９と、先端に吸込口４０を有して吸塵口３５に接続される吸込通路手段４１と、を具備するものである。
【００５０】
まず、電動送風機３９を、図１に基づいて説明する。
【００５１】
電動送風機３９は、図１に示すように、ＡＣモータ１の回転子軸２５にファン３７を連結するとともに、このファン３７を覆うファンカバー３８を設けて形成されている。本実施形態においては、このファン３７には、遠心形ファンを用いることが好ましい。
【００５２】
回転子軸２５は、前述したように、その開口部側端部２５ｂの先端付近が、モータケース端面板２１の開口側軸受け保持部２８を、モータケース本体１２の底部１８側から反対側に貫通して、モータケース２３の外部に突出している。ファン３７は、図１に示すように、回転子軸２５と一体に回転できるように、その平板形状に形成されている厚み方向一側面の径方向中心部を、モータケース２３の外部に突出している回転子軸２５の開口部側端部２５ｂの先端部に貫通させて、その先端部をナット４２を用いて締め付けることにより、回転子軸２５に取り付けられる。これにより、ファン３７は、回転子軸２５と一体に回転できる。
【００５３】
ファン３７には、複数枚の羽根部４３が、その径方向中心部から径方向外側に向けて延ばされて設けられている。これら各羽根部４３は、径方向中心部側が径方向外側よりも、ファン３７の回転する向きの上流側に位置するように、所定の形状に湾曲されて形成されている。具体的には、各羽根部４３は、ファン３７が予め設定されている所定の回転数で回転している状態において、ファン３７の周りの空気を、隣接している各羽根４３部同士により形成されている図示しない通気路内に取り込んで、各羽根４３によりファン３７の径方向中心部から径方向外側に向けて効率よく案内して運ぶことができる形状に形成されている。それとともに、ファン３７には、その厚み方向において、前述した回転子軸２５への取り付け側とは反対側の径方向中央部に、ファン３７の周りの空気を、予め設定されている所定の回転数で回転している状態のファン３７の、前述した通気路内に取り込むための吸気口４４が開口されて設けられている。
【００５４】
以上説明した構成からなるファン３７によれば、このファン３７が予め設定されている所定の回転数で回転している状態、すなわち定常回転している状態においては、ファン３７の周りの空気を、吸気口４４から通気路内に吸込んで、各羽根４３によりファン３７の径方向中心部から径方向外側に向けて効率よく案内して運ぶことができる。各羽根４３によりファン３７の径方向中心部から径方向外側に向けて運ばれた空気は、ファン３７の外周縁部を経てファン３７の外部に吹き出される。ファン３７の外部に吹き出された空気は、ファン３７の外側に配置されている後述する整流板（ディフューザ）４５に送り込まれる。
【００５５】
ファンカバー３８は、図１に示すように、ファン３７を、これが取り付けられているＡＣモータ１を収容しているモータケース本体１２の環状フランジ部１９まで含めて、それらの外側から覆うことができる大きさおよび形状に形成されている。モータケース本体１２には、その環状フランジ部１９の外周縁部から一体に延出されて、かつ、筒部１７の軸方向に沿って底部１８側に向けて折り返されて、第２筒部４６が設けられている。この第２筒部４６の先端部付近は、さらにこの第２筒部４６の径方向外側に向けて略直角に折り曲げられており、その先端部としての外周縁部には、モータケース本体１２にファンカバーを取り付けるためのファンカバー取り付け部４７が設けられている。ファンカバー３８はその外周縁部を、前述したモータケース本体１２のファンカバー取り付け部４７に係合させることにより、ファン３７を覆うように、モータケース本体１２に取り付けられる。
【００５６】
このファンカバー３８の径方向中央部には、この電動送風機３９の外部の空気を、電動送風機３９の内部に導き入れるための導風口４８が開口されて設けられている。ファン３７が回転すると、電動送風機３９の外部の空気は、この導風口４８を通って電動送風機３９の内部に導き入れられる。電動送風機３９の内部に導き入れられた空気は、前述したように、ファン３７に設けられている吸気口４４を通って通気路内に吸込まれた後、各羽根部４３によって案内されて、ファン３７の径方向中心部から径方向外側に向けて運ばれ、ファン３７の外側に配置されている整流板４５に向けて送り出される。
【００５７】
整流板４５は、図１に示すように、この電動送風機３９の軸方向において、モータケース端面板２１とファン３７との間に配置されている。整流板４５は、整流板取り付けねじ４９によりモータケース端面板２１にねじ止めされて取り付けられている。整流板４５はその外形寸法が、環状フランジ部１９の外形寸法と略同じ大きさに形成されている。また、整流板４５は、ファン３７の外周縁部を、その全周にわたって僅かな隙間を設けて囲むように形成されている。
【００５８】
整流板４５の、ファン３７の外周縁部と対向している内周部には、ファン３７から送り込まれる空気を整流板４５の内部に通すための複数個の通風口５０が設けられている。整流板４５には、そのモータケース端面板２１側とは反対側に、ファン３７の外周縁部と対向して設けられている複数枚の第１整流羽根５１と、整流板４５の外周縁部に設けられている第１外周壁５２とによって挟まれて、前記各通風口５０に連通する複数個の第１整流風路５３が形成されている。それとともに、整流板４５には、そのモータケース端面板２１側に、前記各第１整流羽根５１とは反対向きに突設されている複数枚の第２整流羽根５４と、整流板４５の外周縁部に前記第１外周壁５２とは反対向きに設けられている第２外周壁５５とによって挟まれて、前記各第１整流風路５３に連通する複数個の第２整流風路５６が形成されている。また、整流板４５には、そのモータケース端面板２１側の径方向中央部に、前記各第２整流風路５６に連通する第３整流風路５７が設けられている。この第３整流風路５７は、ケース本体開口２０を通して、モータケース２３の内部と連通している。
【００５９】
回転するファン３７によって整流板４５に向けて送り出された空気は、整流板４５が有している各通風口５０を通って整流板４５の内部に送り込まれる。整流板４５の内部に送り込まれた空気は、各第１整流風路５３、各第２整流風路５６、そして第３整流風路５７の順に通過する。この際、整流板４５の内部に送り込まれた空気は、それら各風路５３，５６，５７に沿って進むにつれて、徐々に整流（静圧化）される。このように整流板４５によって整流された空気は、ケース本体開口２０のモータケース端面板２１によって塞がれていない部分を通過して、モータケース２３の内部に流入する。このモータケース２３内に流入した空気は、ケース本体開口２０側から底部１８側に向けて流れ、モータケース本体１２の筒部１７の底部１８寄りにおいて、モータケース本体１２の内部と外部とを連通して設けられている通気部５８などを通って、モータケース２３の外部に排気される。この際、モータケース２３内に流入した空気は、ＡＣモータ１がオーバーヒートなどすることなく、安定して作動できるように、前述したステータ組立２、一対のブラシ組立４、整流子９、および回転子２４などによって構成されているＡＣモータ１の通電経路の周囲などを通り抜けて、この通電経路を冷却（空気冷却）する。
【００６０】
以上説明した構成からなる本実施形態の電動送風機３９においては、その駆動源として、前述した一対のブラシ組立４を具備しているＡＣモータ１を用いている。それとともに、この電動送風機３９は、その作動中における自己冷却機能を有している。よって、この電動送風機３９は、その作動中に電力の損失（電気的エネルギーのロス）を抑制（少なく）して、効率よく作動できるとともに、その送風能力を安定して発揮できる。
【００６１】
また、この電動送風機３９が具備しているＡＣモータ１は、前述したように、軽量かつ低コストに製造できるため、これを用いるこの電動送風機３９も軽量かつ低コストに製造できる。
【００６２】
また、この電動送風機３９作動して、これが有しているファン３７が定常回転している状態の送風能力が、本実施形態の電気掃除機３３の集塵力（吸塵力）となる。
【００６３】
この電動送風機３９は、その内部における空気の流れの向きが、電気掃除機３３全体の空気の流れの向きと一致するように、後述する掃除機本体３６の内部に取り付けられる。具体的には、電動送風機３９は、図４に示すように、掃除機本体３６内において、後述する集塵室３４の下流側に配置される。この際、電動送風機３９は、そのファンカバー３８の導風口４８が集塵室３４と対向するように、かつ、モータケース本体１２の底部１８が掃除機本体３６に設けられている図示しない排気口と対向するように、掃除機本体３６の内部に取り付けられる。
【００６４】
掃除機本体３６は、図４に示すように、この電気掃除機３３の最も下流側に配置されている。掃除機本体３６はその内部に、吸い込んだ図示しないごみなどを溜める集塵室３４、および前述した電動送風機３９などを具備している。集塵室３４および電動送風機３９は、前述したように、掃除機本体３６の内部において、集塵室３４が空気の流れの上流側に、電動送風機３９が空気の流れの下流側に位置するように配置されている。また、掃除機本体３６には、前述した集塵室３４の上流側に、集塵室３４と掃除機本体３６の外部とを連通する吸塵口３５が開口されて設けられている。この電気掃除機３３が吸い込んだごみなどは、この吸塵口３５を通って集塵室３４の内部に溜められる。
【００６５】
また、この掃除機本体３６には、一対の車輪５９が回転自在に取り付けられている。これにより、図示しない電気掃除機３３の使用者は、この電気掃除機３３から掃除機本体３６を外すことなく、電気掃除機３３を所望する掃除場所付近まで容易に移動させることができる。
【００６６】
この電気掃除機３３は、図４に示すように、前述した掃除機本体３６に接続されて、ごみを吸い込むとともに、吸い込んだごみを吸塵口３５を通して集塵室３４内に送り込む吸込通路手段としての吸込通路体４１を具備している。吸込通路体４１は、電気掃除機３３全体の空気の流れの上流側から下流側に向けて、ごみなどを吸い込む吸込口４０が設けられている吸込ヘッド６０、この吸込ヘッド６０に連通されて接続されるとともに、内側筒部６１および外側筒部６２などから構成されて、所定の範囲内で伸縮自在に形成されている吸込パイプ６３、この吸込パイプ６３と前述した掃除機本体３６との間に配置されて、それらを連通するように両端が接続される吸込ホース６４などから構成されている。
【００６７】
吸込ヘッド６０は、図４に示すように、床などに落ちているゴミなどを吸い込む吸込側端面に吸込口４０が開口されて設けられている。この吸込ヘッド６０には、その吸込側端面から一部分が突出して、床などと回転自在に接触できる図示しない複数個のローラが回転自在に取り付けられている。それとともに、この吸込ヘッド６０には、後述する吸込パイプ６３が着脱自在に、かつ、気密を保持して接続されるパイプ接続部６５が設けられている。このパイプ接続部６５は、吸込ヘッド６０に対して所定の方向に自由に動くことができる構造となっている。このような構成により、床などに対する吸込パイプ６３の向きが変わっても、吸込ヘッド６０はその吸込側端面を床面に滑らかに追従させて、吸込口４０からごみなどを吸い込むことができる。
【００６８】
また、この吸込ヘッド６０の内部には、図示しないブラシや、ブラシ付きローラなどが取り付けられている。電気掃除機３３の使用者は、後述する操作部６７を操作することにより、掃除する場所の形状や、材料などに応じて、それらブラシや、ブラシ付きローラの使用あるいは不使用を選択することができる。
【００６９】
吸込パイプ６３は、図４に示すように、内側筒部６１および外側筒部６２などから構成されており、所定の範囲内で伸縮自在に形成されている。吸込パイプ６３は、外側筒部６２の上流側端部に設けられているストッパ６６を操作することにより、外側筒部６２内への内側筒部６１の挿入の深さを任意の大きさに設定できるとともに、その設定した深さを保持できる。これにより、電気掃除機３３の使用者は、吸込パイプ６３の全長を、使い易い長さに設定して掃除できる。
【００７０】
吸込ホース６４は、図４に示すように、可撓性を有するフレキシブルホースによって形成されている。吸込ホース６４の上流側端部には、吸込パイプ６３が着脱自在に、かつ、気密を保持して取り付けられるとともに、この電気掃除機３３の作動、およびその作動の停止などを行う操作部６７が設けられている操作部本体６８が取り付けられている。電気掃除機３３の使用者は、操作部６７を操作することにより、電気掃除機３３の作動、およびその作動の停止などを行うことができるとともに、掃除する場所の形状や、材料などに応じて、適切な掃除モードを選択して、電気掃除機３３の集塵力など、その各種作動状態を適切な状態に設定できる。また、操作部本体６８には、電気掃除機３３の使用者が余計な力を入れることなく楽な姿勢でこの電気掃除機３３を使用することができるように、把持部７２が一体に設けられている。
【００７１】
この吸込ホース６４は、その操作部本体６８に設けられているパイプ着脱ボタン６９を操作することにより、吸込パイプ６３を接続したり、あるいは取り外したりすることが容易にできる。それとともに、この吸込ホース６４の下流側端部には、吸込ホース６４を掃除機本体３６の吸塵口３５に連通させて接続するためのホース接続部７０が取り付けられている。吸込ホース６４は、そのホース接続部７０の先端を吸塵口３５に差し込むことにより、吸塵口３５を介して、掃除機本体３６内に設けられている集塵室３４と気密を保持して容易に接続される。また、吸込ホース６４は、そのホース接続部７０に設けられているホース着脱ボタン７１を押し込みつつ、吸塵口３５からホース接続部７０の先端を引き抜くことにより、掃除機本体３６から容易に取り外すことができる。
【００７２】
以上説明した構成からなる吸込通路体４１によれば、電気掃除機３３の使用者は、把持部７２を握って楽な姿勢で電気掃除機３３を操ることができるとともに、掃除場所に応じた適切な掃除モードを選択して、その先端に設けられている吸込口４０からごみを吸い込んで容易に掃除できる。
【００７３】
また、以上説明した構成からなる本実施形態の電気掃除機３３においては、これが具備している駆動源が前述した電動送風機３９なので、その作動中における電力の損失（電気的エネルギーのロス）を抑制（少なく）して、効率よく作動できるとともに、その集塵能力（吸塵能力）を安定して発揮できる。
【００７４】
また、この電気掃除機３３が具備している電動送風機３９は、前述したように、軽量かつ低コストに製造できるため、これを用いるこの電気掃除機も軽量かつ低コストに製造できる。
【００７５】
なお、本発明に係る整流子電動機、およびこれを備えた電気掃除機は、前述した一実施形態には制約されない。例えば、ＡＣモータ１が具備するブラシ組立４のブラシホルダ７は、鉄系金属ではなく、フェノール樹脂などの耐熱性樹脂によって形成されても構わない。それとともに、ブラシ５は、黒鉛を主成分とするカーボンブラシではなく、貴金属製の金属ブラシでも構わない。また、電気掃除機３３は、前述したような床上を転がして移動させるものではなく、例えば、簡単に持ち運びできる、充電式のハンディタイプでも構わない。
【００７６】
【発明の効果】
請求項１に記載の発明によれば、サーマルプロテクタ付きのブラシ組立のブラシホルダを主通電経路としないので、このブラシホルダを軽量かつ安価な鉄系金属または耐熱性樹脂で作ることができ、軽量かつ低コストで、しかも効率がよい整流子電動機を提供できる。
【００７７】
また、請求項３に記載の発明によれば、請求項１または２に記載の整流子電動機を備えるので、軽量化および低コスト化を図ることができ、かつ、整流子電動機の効率も向上できる電気掃除機を提供できる。
【図面の簡単な説明】
【図１】本発明の一つの実施の形態に係る整流子電動機を備えた電動送風機を一部断面にして示す側面図。
【図２】図１に示されている電動送風機が備えている整流子電動機が有しているサーマルプロテクタ付きのブラシ組立を分解して示す縦断面図。
【図３】（ａ）は、図２に示されているサーマルプロテクタ付きのブラシ組立を組み立てた状態で示す縦断面図。
（ｂ）は、図３（ａ）に示されているブラシ組立を示す正面図。
【図４】図１に示されている電動送風機を備えた本発明の一つの実施の形態に係る電気掃除機を示す斜視図。
【図５】（ａ）は、従来の技術に係るサーマルプロテクタ付きのブラシ組立を分解して示す縦断面図。
（ｂ）は、図５（ａ）に示されているサーマルプロテクタ付きのブラシ組立を組み立てた状態で示す縦断面図。
【符号の説明】
１…ＡＣモータ（整流子電動機）
２…ステータ組立
３…サーマルプロテクタ
４…ブラシ組立
５…カーボンブラシ
６…ピッグテイル
７…ブラシホルダ
８…ブラシキャップ
８ａ…プロテクタ接続部
９…整流子
１０…ばね
１１…ホルダ絶縁
１１ａ…絶縁壁
２５…回転子軸（回転軸）
３３…電気掃除機
３４…集塵室
３５…吸塵口
３６…掃除機本体
３７…ファン
３８…ファンカバー
３９…電動送風機
４０…吸込口４０
４１…吸込通路体（吸込通路手段）
【図１】
0003813805.tif 000002
【図２】
0003813805.tif 000003
【図３】
0003813805.tif 000004
【図４】
0003813805.tif 000005
【図５】
0003813805.tif 000006